(57)【要約】      （修正有）【課題】ボードのカッティング作業時にカッターナイフと定規装着体が一体となってボード面に密着し、工具を握持している手指がぶれたりしないようにする。【解決手段】カッターナイフの前方端部を下向きにし、後方端部を上向きにして嵌挿する所定傾斜角度の左側壁部と右側壁部と上方壁部と底面部により囲まれた嵌挿部を有し、嵌挿部の上方壁部に螺孔を設け、螺孔に螺入の緊締具を取着し、底面部にカッターナイフ底部の突起部を係止する係止部を形成の取付体を設け、嵌挿部の底面部に定規体を出入する底面が水平状の定規装着部を有し、定規体を固定する固定具を有する定規装着体を嵌挿部に水平状にして、嵌挿するカッターナイフに対し直角状に取着せしめるカッターナイフの取付具を形成し、定規体の表面部に目盛と目盛数字が付されている。【選択図】図１
0003130267.tif 000002
【実用新案登録請求の範囲】
【請求項１】
カッターナイフの前方端部を下向きにして、且前記カッターナイフの後方端部を上向きにして嵌挿せしめる所定の傾斜角度を有する左側壁部と右側壁部と上方壁部と底面部によって囲まれた嵌挿部を有し、前記嵌挿部の上方壁部に螺孔を設け、前記螺孔に螺入の緊締具を取着すると共に、前記底面部に前記カッターナイフの底部に形成の突起部を係止する係止部を形成の取付体を設け、前記嵌挿部の底面部に定規体を出入する底面が水平状の定規装着部を有し、前記定規体を固定する固定具を有する定規装着体を前記嵌挿部に水平状にして、且嵌挿するカッターナイフに対し直角状に取着せしめるカッターナイフの取付具を形成し、前記定規体の表面部に目盛と目盛数字とを付すと共に、前記定規体と直交する摺動当て部に定規載置部を取着し、前記定規載置部に定規挿入部を接続し、且前記定規挿入部の上面部に螺孔を形成し、前記螺孔に螺入もしくは螺戻して定規体を固定もしくはスライドせしめるクランプとを有するガイド体を別設し、前記定規体の一側方を前記ガイド体の挿入部に前記定規体を挿入し、他側方を前記定規装着部に出入せしめることを特徴とするカッターナイフの取付具及びガイド兼用定規。
【請求項２】
前記取付体を構成する左側壁部に、前記左側壁部の外側面部から前側面部へ、前側面部から内側壁面部にかけて弾性体を、前記左側壁部から容易に離脱しないように捲廻状に取付け、前記取付体の嵌挿部の後方部より飛出する前記弾性体の端縁部を外側方に若干湾曲状に形成せしめることを特徴とする請求項１記載のカッターナイフの取付具及びガイド兼用定規。
【請求項３】
前記定規体の表面部の上端縁部と下端縁部に同一寸法の目盛を付し、前記上端縁部の目盛を上方目盛とし、前記下端部の目盛を下方目盛とし、且前記上方目盛の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体であることを特徴とする請求項１又は請求項２記載のカッターナイフの取付具及びガイド兼用定規。
【請求項４】
前記定規体を構成する一側方の端部の裏面部に突起部を形成することを特徴とする請求項１又は請求項２又は請求項３記載のカッターナイフの取付具及びガイド兼用定規。
【請求項５】
前記定規体を挿入する定規挿入部に接続杆の一端部を接続し、前記接続杆の他端部を前記載置部に接続せしめることを特徴とする請求項１又は請求項２又は請求項３又は請求項４記載のカッターナイフの取付具及びガイド兼用定規。
【考案の詳細な説明】
【技術分野】
【０００１】
本考案は、カッターナイフの取付具及びガイド兼用定規の分野に関するものである。
【背景技術】
【０００２】
従来カッターナイフ用定規として意匠登録第１１０７２７０号の意匠公報が開示されている。
【０００３】
前記意匠公報のカッターナイフ用定規は、カッターナイフを取付けた状態の参考正面図及び同右側面図に図示されているように、定規をカッターナイフの側壁面部に密着せしめて螺着するものである。
【０００４】
さらに、前記カッターナイフ用定規は、機構的に定規体をカッターナイフを取付けた状態のまま、前記定規体の左端部もしくは右端部より挿入し、所定幅員の目盛出しをすることができなかった。
【特許文献１】意匠登録第１１０７２７０号意匠公報
【考案の開示】
【考案が解決しようとする課題】
【０００５】
従来開示の意匠登録第１１０７２７０号意匠公報のカッターナイフ用定規の物品は、定規とカッターナイフとの接着状態が、前記定規をカッターナイフの一側面部に添わせて延設せしめナット等を締め付け固着するだけである。そのためカッターナイフを握持している手指が作業時に稍もするとふら付くおそれがあった。
【０００６】
従って、カッターナイフの刃部に負担がかかり、刃部の折損等のおそれがあった。
【０００７】
しかるに、本考案のカッターナイフの取付具及びガイド兼用定規は、カッターナイフの前方部を取付体を介して強固に嵌着すると共に、前記取付体の底部に定規体を固定する定規装着体を取着して、ボードのカッティング作業時にカッターナイフと定規装着体が一体となってボード面に密着し、前記工具を握持している手指がぶれたりしない取付具と定規である。
【０００８】
さらに、本考案は、前記した取付体とカッターナイフとの嵌脱を容易にしてカッターナイフ単独での併用もできる取付具である。
【０００９】
また、本考案は、前記取付体にカッターナイフの前方端部が嵌挿し両体が接着すると、ボードのカッティングに最も適した位置に係止されて停止する機構を有する取付具と定規体である。
【００１０】
さらに、本考案は、カッターナイフを嵌着する前記取付体と一体に取着の定規装着体に出入自在なガイド兼用定規を構成の定規体の表面部の上方端縁部と下方端縁部に同一目盛を夫々付し、さらに目盛数字は上方目盛が左端部を「０」としたときは、下方目盛の左端部を例えば３０ｃｍの場合「３０」を付し、夫々右側方の端部に行くに従って、上方目盛は、最終が３０ｃｍの目盛のときは「３０」を、下方目盛は「０」となるように、上方目盛は右側方に行くに従って大きな数字を、下方目盛のときは右側方に行くに従って小さな数字を付すという定規体である。そのため短い定規体であっても、カッティングの幅員が大きいときは、定規体の出入を定規装着体の左サイドから右サイドに、右サイドのときは左サイドから挿入するようにして使用する。
【００１１】
さらに、本考案の定規体は、摺動当て部の位置決め後クランプを介し定規体とガイド体との固定を容易にした。
【００１２】
また、本考案は、ガイド体に握り易い形状のクランプを取着してカッターナイフを握持する手指と反対側の手指をもって握持してカッティング時の手指のぶれを防止した。
【００１３】
また、本考案の定規は、定規体の一側方の端部の裏面部に突起部を形成して、定規体が定規挿入部からの離脱を未然に防止した。
【００１４】
さらに、本考案の定規は、クランプと一体に組立てられている定規挿入部の位置を、前記ガイド体よりも出来るだけ離隔して手指がクランプを握持しやすいようにした。
【課題を解決するための手段】
【００１５】
請求項１記載のカッターナイフの取付具及びガイド兼用定規は、カッターナイフの前方端部を下向きにして、且前記カッターナイフの後方端部を上向きにして嵌挿せしめる所定の傾斜角度を有する左側壁部と右側壁部と上方壁部と底面部によって囲まれた嵌挿部を有し、前記嵌挿部の上方壁部に螺孔を設け、前記螺孔に螺入の緊締具を取着すると共に、前記底面部に前記カッターナイフの底部に形成の突起部を係止する係止部を形成の取付体を設け、前記嵌挿部の底面部に定規体を出入する底面が水平状の定規装着部を有し、前記定規体を固定する固定具を有する定規装着体を前記嵌挿部に水平状にして、且嵌挿するカッターナイフに対し直角状に取着せしめるカッターナイフの取付具を形成し、前記定規体の表面部に目盛と目盛数字とを付すと共に、前記定規体と直交する摺動当て部に定規載置部を取着し、前記定規載置部に定規挿入部を接続し、且前記定規挿入部の上面部に螺孔を形成し、前記螺孔に螺入もしくは螺戻して定規体を固定もしくはスライドせしめるクランプとを有するガイド体を別設し、前記定規体の一側方を前記ガイド体の挿入部に前記定規体を挿入し、他側方を前記定規装着部に出入せしめることを特徴とするカッターナイフの取付具及びガイド兼用定規である。
【００１６】
請求項２記載のカッターナイフの取付具及びガイド兼用定規は、前記取付体を構成する左側壁部に、前記左側壁部の外側面部から前側面部へ、前側面部から内側壁面部にかけて弾性体を、前記左側壁部から容易に離脱しないように捲廻状に取付け、前記取付体の嵌挿部の後方部より飛出する前記弾性体の端縁部を外側方に若干湾曲状に形成せしめることを特徴とする請求項１記載のカッターナイフの取付具及びガイド兼用定規である。
【００１７】
請求項３記載のカッターナイフの取付具及びガイド兼用定規は、前記定規体の表面部の上端縁部と下端縁部に同一寸法の目盛を付し、前記上端縁部の目盛を上方目盛とし、前記下端部の目盛を下方目盛とし、且前記上方目盛の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体であることを特徴とする請求項１又は請求項２記載のカッターナイフの取付具及びガイド兼用定規である。
【００１８】
請求項４記載のカッターナイフの取付具及びガイド兼用定規は、前記定規体を構成する一側方の端部の裏面部に突起部を形成することを特徴とする請求項１又は請求項２又は請求項３記載のカッターナイフの取付具及びガイド兼用定規である。
【００１９】
請求項５記載のカッターナイフの取付具及びガイド兼用定規は、前記定規体を挿入する定規挿入部に接続杆の一端部を接続し、前記接続杆の他端部を前記載置部に接続せしめることを特徴とする請求項１又は請求項２又は請求項３又は請求項４記載のカッターナイフの取付具及びガイド兼用定規である。
【考案の効果】
【００２０】
本考案のカッターナイフの取付具及びガイド兼用定規の請求項１記載の考案は、カッターナイフの前方端部を下向きにして、且前記カッターナイフの後方端部を上向きにして嵌挿せしめる所定の傾斜角度を有する左側壁部と右側壁部と上方壁部と底面部によって囲まれた嵌挿部を有し、前記嵌挿部の上方壁部に螺孔を設け、前記螺孔に螺入の緊締具を取着すると共に、前記底部に前記カッターナイフの底面部に形成の突起部を係止する係止部を形成の取付体を設け、前記嵌挿部の底面部に定規体を出入する底面が水平状の定規装着部を有し、前記定規体を固定する固定具を有する定規装着体を前記嵌挿部に水平状にして、且嵌挿するカッターナイフに対し直角状に取着せしめるカッターナイフの取付具を形成し、前記定規体の表面部に目盛と目盛数字とを付すと共に、前記定規体と直交する摺動当て部に定規載置部を取着し、前記定規載置部に定規挿入部を接続し、且前記定規挿入部の上面部に螺孔を形成し、前記螺孔に螺入もしくは螺戻して定規体を固定もしくはスライドせしめるクランプとを有するガイド体を別設し、前記定規体の一側方を前記ガイド体の挿入部に前記定規体を挿入し、他側方を前記定規装着部に出入せしめることを特徴とするカッターナイフの取付具及びガイド兼用定規なので、カッターナイフを確実且簡易に嵌着せしめると共にカッティング作業時に手指がぶれたりしない利点を有している。
【００２１】
さらに請求項２記載の考案は、前記取付体を構成する左側壁部に、前記左側壁部の外側面部から前側面部へ、前側面部から内側壁面部にかけて弾性体を、前記左側壁部から容易に離脱しないように捲廻状に取付け、前記取付体の嵌挿部の後方部より飛出する前記弾性体の端縁部を外側方に若干湾曲状に形成せしめることを特徴とする請求項１記載のカッターナイフの取付具及びガイド兼用定規なので、メーカー毎に形状等が異なるカッターナイフでも、確実に、且強固に固定せしめることができる。
そのためカッターナイフをカッティングに適した位置に常時停止させておくことができる。
【００２２】
請求項３記載の考案は、前記定規体の表面部の上端縁部と下端縁部に同一寸法の目盛を付し、前記上端縁部の目盛を上方目盛とし、前記下端部の目盛を下方目盛とし、且前記上方目盛の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体であるカッターナイフの取付具及びガイド兼用定規なので、定規体を被切断物の切断幅に応じ、あるいは作業者の好みに応じて前記定規装着部の左側方もしくは右側方より出入させ、挿入した定規体の「０」の目盛を０基準等に合せ固着し、切断幅の目盛出しを極めて容易にした。
【００２３】
請求項４記載の考案は、前記定規体を構成する一側方の端部の裏面部に突起部を形成するカッターナイフの取付具及びガイド兼用定規なので、前記定規体を定規挿入部にスライド自在にスライドさせていても、前記突起部が定規挿入部の端部に引掛って不意に離脱したりしない利点がある。
【００２４】
請求項５記載の考案は、前記定規体を挿入する定規挿入部に接続杆の一端部を接続し、前記接続杆の他端部を前記載置部に接続せしめるカッターナイフの取付具及びガイド兼用定規なので、クランプと一体の定規挿入部と定規載置部との距離を開けることができる。そのためクランプの握持が良好となった。
【考案を実施するための最良の形態】
【００２５】
本考案のカッターナイフの取付具及びガイド兼用定規に関する請求項１〜５記載の考案は、共通しているので一括して図面にもとづき説明すると以下のとおりである。
【００２６】
図面においてａは本考案のカッターナイフＡの取付具であり、ｂは前記取付具ａに出入する定規体ｃ付ガイド兼用定規である。以下取付具ａ、定規体ｃ付ガイド兼用定規ｂにつきその実施の形態を説明する。
【００２７】
第１に取付具ａは以下の構成からなる。
【００２８】
１は取付具ａを構成するカッターナイフＡの取付体であって、以下の構成からなっている。即ち前記取付体１は、縦断面が四辺形状をしており、左側壁部１ｂと右側壁部１ｃと上方壁部２と底面部６とからなっている。１ａは、カッターナイフＡの前方端部が下向きに傾斜し、前記カッターナイフＡの後方端部を上向きにした所定の角度例えば４５度（限定しない）の角度で傾斜する前記ナイフＡが嵌挿する嵌挿部である。
【００２９】
さらに前記取付体１の嵌挿部１ａの上方壁部２には螺孔３を設ける。そしてこの螺孔３に下方部にネジを設けた緊締具４を取着する。
【００３０】
５は前記嵌挿部１の底面部６に設けた若干上側方に立設する係止部である。
さらに、本考案の取付体１には、前記左側壁部１ｂに、メーカーによって稍異なるカッター製品が前記嵌挿部１ａに嵌込んでもがたつかないように、がたつき防止用の弾性体ｄを捲廻状に取付ける。この取付けは以下のようにする。即ち、前記取付体１を構成する左側壁部１ｂの外側面部３４から前側面部３５へ、前側面部３５から内側面部３６にかけて前記弾性体ｄを密着状にして固着する。さらに前記弾性体ｄの外側面部３４に密着する弾性体ｄの端縁部は、前記左側壁部１ｂに切欠する切欠部１ｄの縦状切欠面部３７に折曲して係止する。そのため弾性体ｄが離脱しない。
また、前記取付体１の嵌挿部１ａの後方部より飛出する前記弾性体ｄの端縁部３８を外側方に図面図示のとおり若干湾曲状に形成する。
前記の弾性体ｄは、鋼板材を使用するので弾状を有し、カッターナイフＡがメーカーによって若干形状にバラ付きがあっても十分対応し、嵌挿せしめたカッターナイフＡを確実に固定しカッター作業性を高めることができる。
【００３１】
７はカッターナイフＡの底部８に形成の前記係止部５に引掛ける突起部である。この突起部７によって、前記カッターナイフＡの前方端部が嵌挿部１の前方より突出し前記カッターナイフＡの刃部９が常時カッティングが仕易い位置になっている。
【００３２】
１０は前記取付体１の前方底部１１に、この取付体１が前記した傾斜角度を保持し、且定規体ｃが出入する定規装着部１２を有し、且前記取付体１に嵌挿するカッターナイフＡに対し直角状に取着する定規装着体である。
【００３３】
さらに前記定規装着部１２の上方部１０ａに螺孔を設け、この螺孔に螺入するネジ付固定具１３を取着する。
【００３４】
前記装着部１２に出入する定規体ｃは、左側方もしくは右側方の何れかの一側方から挿入する。
【００３５】
以上がカッターナイフＡの取付具ａである。
【００３６】
つぎに前記定規体ｃ付ガイド兼用定規ｂにつき説明すると以下のとおりである。
【００３７】
前記定規体ｃ付ガイド兼用定規ｂは、定規体ｃとガイド体１４と摺動当て部１５とクランプ１６等を主な構成部材としている。以下において実施の形態を説明する。
【００３８】
前記定規体ｃは、表面部１７の上端縁部１８と下端縁部１９に寸法が同一な目盛を付する。
【００３９】
前記上端縁部１８に付された目盛を上方目盛２０とし、該目盛２０の左側端部の目盛数字を「０」とし、他方右側端部の目盛数字を例えば３０ｃｍの場合「３０」とする。
【００４０】
さらに前記下端縁部１９に付された目盛を下方目盛２１とし、左側端部の目盛数字は、大きな数字、例えば３０ｃｍの場合「３０」とし、他方右側端部の目盛数字を「０」とする。
【００４１】
上記のとおり上方目盛２０の目盛数字と下方目盛２１の目盛数字とは正逆数字とする。
【００４２】
前記上方目盛２０と下方目盛２１の目盛数字の付記は、主として両目盛２０、２１間の空間部に形成する。
【００４３】
本考案の定規ｂは、主として長さが３０ｃｍとするが限定しない。
【００４４】
１４は前記定規体ｃに対し直交してスライドしたり、固着するガイド体であり以下の構成からなっている。
【００４５】
前記ガイド体１４は、前記定規体ｃに対し直交状態にして、且定規体ｃが上面をスライドする摺動当て部１５の裏面２２に、定規挿入孔２４を有する定規挿入部２３を取着の定規載置部２５を一体にして組立てる。
【００４６】
前記摺動当て部１５は、図面図示のように水平状となっている定規体ｃに対し垂直状に取着する。
【００４７】
さらに前記摺動当て部１５と定規載置部２５は、螺合し合うネジ部２６、２７とによって接続されている。
【００４８】
また定規載置部２５の上面には、定規体ｃが嵌挿する嵌挿部２５ａを形成する。
【００４９】
さらに本考案のガイド兼用定規ｂは、定規挿入部２３と前記定規載置部２５と接続するのに、前記定規挿入部２３の下方部より載置部２５方向に接続杆２８を延設し、前記接続杆２８の他端部を前記載置部２５の嵌挿部２５ａの裏面部と接着する。
【００５０】
前記定規挿入部２３は挿入孔２４を有しているので、定規体ｃは前記嵌挿部２８に嵌挿し、さらに前記挿入孔２４内を貫通する。
【００５１】
２９は定規体ｃの一端部の裏面部３０に突設した突起部である。この突起部２９は挿入孔２４に挿入した定規体ｃが定規挿入部２３の端部に係止し定規挿入部２３から離脱しない。
【００５２】
前記クランプ１６は下方部にネジ部３２が形成されており、定規挿入部２３の上面部に設けた螺孔にクランプ１６を螺着する。さらに前記クランプ１６は定規挿入部２３に挿入しスライドする定規体ｃを固定する。
【００５３】
さらに前記クランプ１６は、前記カッターナイフＡによるカッティング作業が開始した際、手指でつかみながら作業をする。そのためぶれたりしないので作業性が良好となる。
【００５４】
さらに前記クランプ１６を赤ピンク等の明るい色調にすれば、取着位置が鮮明となりつかみやすい。
【００５５】
本考案のガイド兼用定規ｂは、図１、３に図示しているように定規装着体１０に定規体ｂを挿入し、且嵌着して使用する。
【００５６】
さらに本考案のガイド体ｃ付定規ｂの定規体ｃは、前記定規装着体１０に対して左側方もしくは右側方の何れか一側方から挿入してもよい。上記の挿入手法は本考案定規の特長の一つである。
【００５７】
本考案の定規体ｃの目盛数字の付け方が前記したように同一目盛２０、２１であっても、目盛数字が正逆方向にした点が本考案の要部の一つでもある。
【００５８】
３２は被切断用ボード、３３は切り口である。
【００５９】
しかし本考案の定規ｂが従来の定規の長さより短く例えば３０ｃｍにしても、従来定規の６０ｃｍ長さのものと同じに作業ができる。即ち定規体ｃを定規装着体１０に対し、左側方もしくは右側方の何れかの一側方から挿入せしめることによって、３０ｃｍと長さが短くとも６０ｃｍに匹敵する切断寸法の割出し測定ができる。
【図面の簡単な説明】
【００６０】
【図１】本考案カッターナイフの取付具及びガイド兼用定規の取付状態を示す正面図である。
【００６１】
【図２】同要部の斜視図である。
【００６２】
【図３】同使用状態を示す一部切欠平面図である。
【００６３】
【図４】同ガイド兼用定規の斜視図である。
【００６４】
【図５】図６のガイド兼用定規の一部切欠正面図である。
【００６５】
【図６】同ガイド体の平面図である。
【００６６】
【図７】同ガイド兼用定規の一部切欠拡大平面図である。
【符号の説明】
【００６７】
Ａ      カッターナイフ
ａ      取付具
ｂ      ガイド兼用定規
ｃ      定規体
ｄ      弾性体
１      取付体
１ａ    嵌挿部
１ｂ    左側壁部
１ｃ    右側壁部
１ｄ    切欠部
２      上方壁部
３      螺孔
４      緊締具
５      係止部
６      底面部
７      突起部
８      底部
９      刃部
１０    定規装着体
１０ａ  上方部
１１    前方底部
１２    定規装着部
１３    ネジ付固定具
１４    ガイド体
１５    摺動当て部
１６    クランプ
１７    表面部
１８    上端縁部
１９    下端縁部
２０    上方目盛
２１    下方目盛
２２    裏面
２３    定規挿入部
２４    定規挿入孔
２５    定規載置部
２５ａ  嵌挿部
２６    ネジ部
２７    ネジ部
２８    接続杆
２９    突起部
３０    裏面部
３２    ネジ部
３２    被切断用ボード
３３    切り口
３４    外側面部
３５    前側面部
３６    内側面部
３７    縦状切欠面部
３８    端縁部
【図１】
0003130267.tif 000003
【図２】
0003130267.tif 000004
【図３】
0003130267.tif 000005
【図４】
0003130267.tif 000006
【図５】
0003130267.tif 000007
【図６】
0003130267.tif 000008
【図７】
0003130267.tif 000009